(57)【特許請求の範囲】
【請求項１】
操作部から入力された検索条件に従って、データベースに格納されている情報を検索し、その検索結果を表示する検索システムの検索条件の表示方法であって、
表示画面上に該操作部から入力された検索条件を１行の文字入力エリア内で一列に表示し、
該検索条件は、文字列からなる１または複数の入力されたキーワードと、該キーワード毎に付加される該キーワードの属性を表わす属性情報とからなり、該属性情報に該当する該キーワードが続いて表示され、
入力されているキーワードの文字列が該文字入力エリアに入りきれないとき、該文字入力エリア内で既に表示されている該キーワード毎に、該キーワードを１つのキーワード入力済みアイコンに表示が変換される
ことを特徴とする検索条件の表示方法。
【請求項２】
請求項１において、
前記属性情報は、前記属性を表わすアイコンで表示されることを特徴とする検索条件の表示方法。
【請求項３】
請求項１または２において、
前記属性アイコンに続いて表示された前記キーワードが前記キーワード入力済みアイコンに変換されて表示されている状態で、さらに入力されるキーワードの文字列が前記文字入力エリアに入り切れないとき、入力されている該キーワードの既に入力された文字列がスクロールし、スクロールする該文字列が前記属性アイコンの下に潜り込むようにして隠れていく
ことを特徴とする検索条件の表示方法。
【請求項４】
請求項１〜３のいずれか１つにおいて、
前記表示画面に、前記属性情報を選択するための属性情報選択エリアが設けられていることを特徴とする検索条件の表示方法。
【請求項５】
請求項４において、
前記属性情報選択エリアは、操作によって前記属性情報の一覧が表示されるプルダウンメニュー画面であることを特徴とする検索条件の表示方法。
【請求項６】
請求項１〜５のいずれか１つにおいて、
前記キーワード入力済みアイコンの選択操作により、選択された前記キーワード入力済みアイコンに代わって該当する前記キーワードが表示されることを特徴とする検索条件の表示方法。
【請求項７】
請求項１〜６のいずれか１つにおいて、
前記属性情報を選択することにより、前記属性情報の変更や前記キーワードの修正を可
能としたことを特徴とする検索条件の表示方法。
【請求項８】
請求項１〜７のいずれか１つにおいて、
前記属性情報を予め所定時間以上選択操作することにより、選択された前記属性情報とこれに続いて表示されている前記キーワードとの対の有効／無効を選択するための有効／無効選択画面が表示されることを特徴とする検索条件の表示方法。
【発明の詳細な説明】
【技術分野】
【０００１】
本発明は、所望情報の検索条件を画面上で表示する検索条件の表示方法にに関する。
【背景技術】
【０００２】
従来の情報検索方法として、キーワードなどを用いた検索方法が知られている。かかる検索方法では、表示画面に表示される検索画面を参照してキーボードなどを操作することにより、検索に必要なキーワードが入力される。このとき、入力されたキーワードは検索画面に表示される。検索システムでは、かかる入力されたキーワードを検索条件に用いてデータベースでの検索を行ない、この検索の結果得られた情報が表示画面に表示される。
【０００３】
かかるキーワードは複数の文字からなる文字列で表わされるものであって、その一従来例として、１つのキーワードで検索条件を形成し、この検索条件を用いて情報検索を行なうシステムがしられているが（例えば、特許文献１参照）、複数のキーワードからなる検索条件を用いて情報検索を行なうシステムも提案されている。
【０００４】
その一例としては、キーワードの一覧を表示する複数のプルダウンメニューが設けられ、夫々のプルダウンメニューで所望のキーワードを選択することにより、複数のキーワードでもって構成される検索条件を作成するものである（例えば、特許文献２参照）。
【０００５】
複数のキーワードからなる検索条件を用いて情報検索を行なうシステムの他の例としては、商品の購入を希望する消費者の情報端末に表示される検索画面には、複数のキーワードデータフィールドが設けられており、夫々のフィールド毎に消費者がキーワードを入力することにより、これに複数のキーワードからなる検索条件が形成され、この検索条件をもとに情報検索が行われるようにしたシステムが提案されており、その入力されるキーワードの例として、「本」，「幸福」，「楽しい」といったものが挙げられており、かかる検索条件によって「なんとなく、楽しくなるような本」を検索できるようにしている（例えば、特許文献３参照）。
【特許文献１】特開平９ー２２９７０８号公報
【特許文献２】特開２００２ー１０８９０６号公報
【特許文献３】特開２００２ー９９５４８号公報
【発明の開示】
【発明が解決しようとする課題】
【０００６】
ところで、上記の特許文献２に記載のキーワードを用いた検索方法では、複数の入力キーワードを用いることにより、検索情報の絞り込みができ、また、これらキーワードが表示画面で縦方向に配列されて表示されるので、１つ１つのキーワードに区切りが付いて、キーワードを夫々毎に確認することが容易である。しかし、キーワードの表示エリアに広がりがあるため、表示画面に他の画像を表示した状態で情報検索を行なうとすると、かかる表示画像の一部がこのキーワードの表示エリアで隠され、不具合を感ずることがある。また、表示画面のタッチパネル方式とし、表示画面に表示される検索画面にタッチ操作の操作部を設ける場合でも、かかる広がりの面積を持つキーワードの表示エリアがかかる操作部での操作ボタンなどの配置に影響を与えることになる。このことは、同時に表示する入力キーワードの個数が多くなるほど、顕著になる。
【０００７】
これに対し、検索条件としての入力キーワードを横一列で表示するようにすることも考えられる。かかる検索条件の表示方法によると、横長にはなるが、広がりの面積は格別のものではなく、また、表示画面の上／下辺に配置することができるから、表示されたの画像に影響することがほとんどないし、また、検索画面の操作部も余裕をもって配置できる。しかし、検索条件として複数のキーワードを入力する場合、これらキーワードが横一列に並ぶことになるので、個々の入力キーワードの確認がしにくくなるという問題がある。
【０００８】
勿論、キーワードの表示エリアを１キーワード毎に区切るようにすることが考えられ、これにより、各キーワードを明確に区分して表示させることが可能となって夫々の入力キーワードの確認が容易となるが、キーワードを入力する毎にそれを表示するエリアを指定する操作が必要となり、操作に手間がかかるという問題があるし、また、入力するキーワードの個数が制限されるし、キーワードの長さ（文字数）も制限されるという問題がある。
【０００９】
本発明の目的は、かかる問題を解消し、検索条件を形成する１または複数の入力キーワードを横一列に並べて表示するようにしながら、検索条件の入力作業や入力した各キーワードの確認を容易に行なうことができ、小さなスペースに検索条件を効率良く表示することができるようにした検索条件の表示方法を提供することにある。
【課題を解決するための手段】
【００１０】
上記目的を達成するために、本発明は、操作部から入力された検索条件に従って、データベースに格納されている情報を検索し、その検索結果を表示する検索システムの検索条件の表示方法であって、表示画面上に操作部から入力された検索条件を１行の文字入力エリア内で一列に表示し、検索条件は、文字列からなる１または複数の入力されたキーワードと、キーワード毎に付加されるキーワードの属性を表わす属性情報とからなり、属性情報に該当するキーワードが続いて表示され、入力されているキーワードの文字列が文字入力エリアに入りきれないとき、文字入力エリア内で既に表示されているキーワード毎に、キーワードを１つのキーワード入力済みアイコンに表示が変換されることを特徴とするものである。
【００１１】
また、本発明は、属性情報が属性を表わすアイコンで表示されることを特徴とするものである。
【００１２】
さらに、本発明は、属性アイコンに続いて表示されたキーワードがキーワード入力済みアイコンに変換されて表示されている状態で、さらに入力されるキーワードの文字列が文字入力エリアに入り切れないとき、入力されているキーワードの既に入力された文字列がスクロールし、スクロールする文字列が属性アイコンの下に潜り込むようにして隠れていくことを特徴とするものである。
さらに、本発明は、表示画面に、属性情報を選択するための属性情報選択エリアが設けられていることを特徴とするものである。
【００１３】
さらに、本発明は、属性情報選択エリアが、操作によって属性情報の一覧が表示されるプルダウンメニュー画面であることを特徴とするものである。
【００１５】
さらに、本発明は、キーワード入力済みアイコンの選択操作により、選択されたキーワード入力済みアイコンに代わって該当するキーワードが表示されることを特徴とするものである。
【００１６】
さらに、本発明は、属性情報を選択することにより、属性情報の変更やキーワードの修正を可能としたことを特徴とするものである。
【００１７】
さらに、本発明は、属性情報を予め所定時間以上選択操作することにより、選択された属性情報とこれに続いて表示されているキーワードとの対の有効／無効を選択するための選択画面が表示されることを特徴とするものである。
【発明の効果】
【００１８】
本発明によると、検索条件を構成するキーワードがその属性情報に付加されて表示されるので、入力された複数のキーワードが横一行に表示されていても、キーワードの区切りが明確となり、夫々のキーワードの確認が容易であるとともに、かかるキーワードとその属性情報とのセットが複数個順番に並んで表示されるから、かかる複数のセットからなる検索条件の入力作業も容易となる。
【発明を実施するための最良の形態】
【００１９】
以下、本発明の実施形態を図面を用いて説明する。
【００２０】
図１は本発明による検索条件の表示方法を用いる検索システムの一例を示す概略的に示すブロック図であって、１は表示装置、２はデータベース、３は演算処理装置、４は操作部である。
【００２１】
図１に示す検索システムは、データベース２を内蔵した、例えば、テレビジョン受像機（以下、テレビと略称する）やカーナビゲーション装置（以下、カーナビと略称する），ＰＣ（パーソナルコンピュータ）などに適用されるものであって、データベース２は、例えば、ハードディスクドライブやその他のメモリ装置であって、各種の情報が格納されている。このデータベース２に格納されているこれら各種の情報の中から所望の情報を検索するために、表示装置１に表示される画面を用いて操作部４で検索操作する。操作部４の操作によって発生された検索条件の情報は、ＣＰＵ（中央処理ユニット）などからなる演算処理装置３に供給される。この検索条件は、表示装置１の表示画面（図示せず）にも表示される。演算処理回路３は、供給された検索条件の情報を演算処理し、この検索条件をもとに、データベース２での情報検索を行なう。この検索の結果得られる情報は演算処理装置３に取り込まれ、所定の処理がなされて表示装置１に供給される。これにより、検索結果の情報が表示装置１の表示画面に表示される。
【００２２】
ここで、操作部４としては、表示装置１のタッチパネルとしてもよいし、また、表示装置１の表示画面とは別体の装置、即ち、リモコンやポインティングデバイス，キーホードなどであってもよい。
【００２３】
図２は図１に示す検索システムのより具体的な構成を示すシステム構成図であって、５はクライアント端末、５ａはＰＣ（Personal Computer：パソコン）、５ｂはＰＤＡ（Personal Digital Assistance：情報携帯端末）、５ｃは携帯電話、６は検索サイト、６ａはサーバ、６ｂはデータベース、７はネットワークであり、図１に対応する部分には同一符号を付けている。
【００２４】
同図において、この検索システムでの情報検索装置としてのＰＣ５ａやＰＤＡ５ｂ，携帯電話５ｃなどのクライアント端末５が、インターネットやＬＡＮ，ＷＡＮ，電話回線などの公衆回線７を介して、検索サイト６に接続されている。この検索サイト６は、データベース６ｂを備えたサーバ６ａからなるものである。ここで、これらクライアント端末５は、表示装置や操作部，演算処理装置などを有する。操作部は、リモコンやタッチパネル，ポインティングデバイス，キーボードなどである。
【００２５】
クライアント端末５で検索操作が行なわれると、その操作結果としての検索条件の情報が公衆回線７を介して検索サイト６に供給される。この検索サイト６では、サーバ６ａがこの検索条件の情報に基づいてデータベース６ｂの検索動作を行ない、これによって得られた所定の検索情報を公衆回線７を介して検索要求があったクライアント端末５に送る。これにより、このクライアント端末５では、その表示装置１（図１）にこの検索情報が表示される。
【００２６】
次に、かかる検索システムに用いる本発明による検索条件の表示方法の実施形態について説明する。
【００２７】
図３はこの実施形態のための操作部４の操作手順の一具体例を示すフローチャートであって、以下では、カーナビ５ｅでの表示を例に説明する。カーナビ５ｅの場合、操作部４は表示装置１の表示画面に表示される操作ボタンからなるものである。
【００２８】
同図において、カーナビ５ｅの電源を投入し、操作部４で検索開始の操作すると（ステップ１００）、まず、図４に示すメニュー画面１０が表示される。このメニュー画面１０では、行先などの各設定対象の選択のための操作ボタンが設けられている。いま、行き先を設定するために、「行き先設定」ボタン１０ａをタッチ操作すると、図５に示す行き先設定画面１１が表示され、検索方法を選択するための操作ボタンが設けられている。ここで、キーワードによる行き先の検索をするために、「キーワード」ボタン１１ａをタッチ操作すると（ステップ１０１）、キーワードによる検索画面が表示される（ステップ１０２）。
【００２９】
図６は最初に表示される検索画面（初期検索画面）を示すものであって、２０は検索画面、２１は文字入力エリア、２２はフォーカスエリア、２２’は枠、２３は属性未設定アイコン、２４はカーソル、２５ａ〜２５ｄは属性アイコン、２６は検索件数表示エリア、２７はキーワード追加ボタン、２８はカーソル移動ボタン、２９はキーボード、３０は削除ボタン、３１は文字種選択ボタン、３２は予測キーワード表示エリア、３３は検索ボタン、３４は「戻る」ボタンである。
【００３０】
同図において、この検索画面２０では、検索のために入力されたキーワードなどを表示する文字入力エリア２１やキーワードを入力するためのキーボード２９などの各種の操作ボタンが表示される。他の操作ボタンとしては、
検索対象の属性毎に設けられた属性アイコン２５ａ〜２５ｄ
文字入力エリア２１にキーワードを追加することを指示するためのキーワード追加ボタン２７
文字入力エリア２１に表示されるカーソル２４を前後方向に移動させるためのカーソル移動ボタン２８
文字入力エリア２１に入力されたキーワードを一字ずつ後ろから削除するための削除ボタン３０
キーボード２９での操作キーの文字種（かな，カタカナ，英数記）を変更するための文字種選択ボタン３１
文字入力エリア２１に入力されたキーワードによる検索条件に基づいて検索を開始させるための検索ボタン３３
などが設けられており、さらに、文字入力エリア２１に入力されたキーワードによる検索条件に対する検索件数を表示するための検索件数表示エリア２６、入力が予測されるキーワード（予測キーワード）が表示される予測キーワード表示エリア３２なども設けられている。なお、この予測キーワード表示エリア３２に表示される予測キーワードは、後述するように、文字入力エリア２１にキーボード２９の操作によって入力された文字に関連するキーワードである。ここでは、まだ、キーワードが入力されていないため、過去のキーワード入力の履歴に基づいて、例えば、「○○×テン」，「××○テン」などの予測キーワードが表示される。
【００３１】
なお、「戻る」ボタン３４は、図５に示す行き先設定画面１１に戻すための操作ボタンである。
【００３２】
図３のステップ１０２で表示される図６に示す初期の検索画面２０では、まだキーワードなどの入力がなされていないものであるが、その文字入力エリア２１には、「？」マークの属性未設定アイコン２３が表示され（図３のステップ１０３）、また、この文字入力エリア２１には、この属性未設定アイコン２３を含むエリア２２が太線の枠２２’で囲われて示される。キーボード２９などを操作して文字入力を行なうと、その入力文字がこのエリア（以下、フォーカスエリアという）２２内に表示される。さらに、このフォーカスエリア２２には、文字の入力位置を示すカーソル２４が表示されている。
【００３３】
かかる初期検索画面２０で、検索対象の属性を指定するために（図３のステップ１０４）、属性アイコン２５ａ〜２５ｄのうちの所望とする１つ、例えば、「住所」の属性アイコン２５ｂをタッチ操作すると（図３のステップ１０５）、図７に示すように、「？」マークの属性未設定アイコン２３と入れ替わって「住所」の属性アイコン２５ｂが表示され、さらに、キーボード２９を操作してキーワードを入力すると（図３のステップ１０６）、この属性アイコン２５ｂに続いて、図７に示すように、例えば、「うつのみや」という入力キーワード３５が表示される検索画面２０ａが表示される。ここで、この検索画面２０ａのように、属性アイコン２５と入力キーワード３５とが対となって入力され、文字入力エリア２１に表示されると、これら属性アイコン２５と入力キーワード３５とのセット１つからなる検索条件（検索式）が設定されることになり、これら属性アイコン２５と入力キーワード３５（即ち、検索条件）を用いた検索がデータベース２（図１）で行なわれることになり、この検索結果得られた情報の件数（検索件数）が検索件数表示エリア２６に、例えば、４７５件というように、表示される。
【００３４】
フォーカスエリア２２内に入力キーワード３５が表示されているこの検索画面２０ａにおいて、カーソル移動ボタン２８をタッチ操作すると、そのタッチ操作毎にフォーカスエリア２２内でのカーソル２４が一文字ずつ左右に移動させることができる。また、入力キーワード３５の任意の文字をタッチ操作すると、そのタッチした文字の位置にカーソル２４が移動する。そして、入力キーワード３５の文字の表示位置にカーソル２４が位置しているときに「削除」ボタン３０をタッチ操作すると、その文字が削除される。従って、誤って入力された文字がある場合、カーソル移動ボタン２８の操作により、あるいはその文字をタッチすることにより、その文字の表示位置にカーソル２４を移動させ、「削除」ボタン３０をタッチ操作することにより、この誤った文字を削除することができる。
【００３５】
なお、このようにして文字が削除されたときには、この削除された文字のスペースを埋めるように、この削除された文字以降の文字あるいは文字列が左側に一文字分移動する。
【００３６】
また、カーソル２４が入力キーワード３５の位置の文字、例えば、文字「み」の表示位置にあるとき、キーボード２９の１つの文字キー、例えば、「あ」の文字キーをタッチ操作してこの文字「あ」を入力すると、このカーソル２４が位置する文字「み」とこれより１つ前の文字「の」との間にこの入力文字「あ」が表示される。従って、図７に示す検索画面２０ａでこのように文字「あ」を入力すると、フォーカスエリア２２に表示される入力キーワード３５は「うつのあみや」ということになる。
【００３７】
このようにして、フォーカスエリア２２で表示される入力キーワード３５での文字の削除や訂正を行なうことができる。このことは、図７以外の後述する検索画面についても、同様である。
【００３８】
図７に示すように、住所の属性を指定して「うつのみや」を入力した状態においては、予測キーワード表示エリア３２には、例えば、「シヤクショ」，「○×ドオリ」などの、「うつのみや」から予測されるキーワードが表示される。利用者は、入力したい予測キーワードが予測キーワード表示エリア３２に表示されたときには、その予測キーワードをタッチすることにより、これを入力キーワードとして入力でき、キーボード２９によるキーワードの入力操作を省略できるので、キーワードの入力操作を容易かつ迅速に行なうことができる。
【００３９】
図６に示す初期検索画面２０において、キーワードを入力するものとして（図３のステップ１０４）、キーボード２９を操作してキーワードを入力すると（図３のステップ１０７）、検索画面２０では、図８に示すように、文字入力エリア２１のフォーカスエリア２２内で、「？」マークの属性未設定アイコン２３に続いて、入力キーワード、例えば、「うつのみや」という入力キーワード３５が表示される検索画面２０ｂが表示される。そして、この検索画面２０ｂにおいて、検索対象の属性を指定するために（図３のステップ１０８）、例えば、「住所」の属性アイコン２５ｂをタッチ操作すると（図３のステップ１０９）、「？」マークの属性未設定アイコン２３がこの「住所」の属性アイコン２５ｂと入れ替り、図３のステップ１０６での上記の処理をした場合と同様の図７に示す検索画面２０ａに替わることになる。
【００４０】
図７に示す表示状態（検索条件）での検索画面２０ａで、情報の検索を開始させるために（図３のステップ１１１）、検索ボタン３３をタッチ操作すると（図３のステップ１１２）、先にデータベース２（図１）で行なわれた「住所」の属性アイコン２５ｂと入力キーワード３５とからなる検索条件で行なわれた検索の結果が表示される（図３のステップ１１２）。
【００４１】
図９はこの図７に示す検索条件の検索結果を表示した検索結果表示画面４０の一具体例を示す図であって、４１は検索情報、４２ａ，４２ｂはスクロールボタン、４３は「ソート」ボタン、４４は「絞込み」ボタン、４５は「再検索」ボタンである。
【００４２】
同図において、検索結果表示画面４０では、検索の結果得られた情報、即ち、検索情報４１が表示される。この検索結果表示画面４０で表示可能な検索情報の最大個数をＮ個とすると（図示では、Ｎ＝５）、得られた検索情報の個数が５個以下であるときには、その全ての検索情報が同時に表示される。得られた検索情報の個数が５個を超える場合には、そのうちの５個が同時に表示され、スクロールボタン４２ａまたは４２ｂをタッチ操作することにより、検索情報４１の表示エリアが上方または下方にスクロールして表示されていなかった検索情報を表示させることができる。
【００４３】
また、検索結果表示画面４０には、検索情報を所定の順序に、例えば、アイウエオ順などに並び変えるための「ソート」ボタン４３，検索情報量の絞込みの操作を行なうための「絞込み」ボタン４４，再検索を行なうための「再検索」ボタン４５が設けられている。「戻る」ボタン３４をタッチ操作すると、検索モードが終了し（図３のステップ１１４）、図５に示す行き先設定画面１１に戻る。
【００４４】
図７に示す検索画面２０ａにおいて、検索件数エリア２６での検索件数が多いということで、さらに、キーワードを追加することが必要な場合には（図３のステップ１１０）、キーワード追加ボタン２７をタッチ操作する（図３のステップ１１５）。これにより、図１０に示す検索画面２０ｃが表示される。この検索画面２０ｃでは、文字入力エリア２１で既に表示されている「住所」の属性アイコン２５ｂと「うつのみや」の入力キーワード３５に続いて、キーワード追加ボタン２７をタッチ操作したことによる太枠で示されるフォーカスエリア２２が設定され、これに属性未設定アイコン２３とカーソル２４とが表示される（図３のステップ１１６）。かかる検索画面２０ｃでは、新たなフォーカスエリア２２に対し、図６に示す検索画面２０の場合と同様、属性を指定するために（図３のステップ１０４）、属性アイコン２５を選択するタッチ操作を行ない（図３のステップ１０５）、次いで、キーワードを入力するタッチ操作をすることもできるし、また、キーワードを入力するために（図３のステップ１０６）、キーワードを入力するタッチ操作を行ない（図３のステップ１０７）、次いで、属性を指定するために（図３のステップ１０８）、属性アイコン２５を選択する操作をすることもできる（図３のステップ１０９）。
【００４５】
ここで、図１０に示す検索画面２０ｃにおいて、属性を指定することなく（図３のステップ１０４）、キーワードのための文字を入力すると（図３のステップ１０７）、フォーカスエリア２２にこの入力文字が表示される。
【００４６】
図１１は最初の文字「き」が入力された場合の検索画面２０ｄを示すものであって、この検索画面２０ｄでは、そのフォーカスエリア２２に入力文字「き」が表示される。この場合、予測キーワード表示エリア３２には、１つ目の入力キーワード「うつのみや」と２つ目の入力キーワードの最初の文字「き」とから予測される予測キーワードが表示される。ここでは、「き」や「ぎ」で始まる、例えば、「ギョウザ」，「ギャラリー」，「キョウド…」，「ギンコウ」，「キシメン」などといった予測キーワードが表示される。かかる予測キーワードをタッチ操作で選択することにより、この選択された予測キーワードが入力されたことになり、入力キーワードとしてフォーカスエリア２２に表示される。このように、入力したいキーワードが予測キーワードとして存在すれば、キーボード２９によるキーワードの入力作業を軽減してキーワードの入力を行なうことができる。なお、キーボード２９のタッチ操作によるフォーカスエリア２２への入力文字数を多くすれば、それだけ予測キーワード表示エリア３２に表示される予測キーワードが絞られることはいうまでもない。
【００４７】
また、図１０に示す検索画面２０ｃにおいて、属性アイコンを選択した後（図３のステップ１０５）、キーワードのための文字を入力しても（図３のステップ１０６）、フォーカスエリア２２にこの入力文字が表示される。
【００４８】
図１２は最初の文字「き」が入力された場合の検索画面２０ｅを示すものであって、この検索画面２０ｅでは、そのフォーカスエリア２２に、施設名を表わす属性アイコン２５ｄとともに、入力文字「き」が表示される。この場合、１つ目の入力キーワード「うつのみや（住所）」この文字「き」や「ぎ」で始まる施設名に関する予測キーワードが予測キーワード表示エリア３２に表示される。そして、かかる予測キーワードをタッチ操作で選択することにより、この選択された予測キーワードが入力されたことになり、図１３に示すように、入力キーワードとしてフォーカスエリア２２に表示される。この場合でも、このように、属性アイコンに該当する予測キーワードが存在すれば、これを用いることにより、キーボード２９によるキーワードの入力作業を軽減してキーワードの入力を行なうことができる。なお、キーボード２９のタッチ操作によるフォーカスエリア２２への入力文字数を多くすれば、それだけ予測キーワード表示エリア３２に表示される予測キーワードが絞られることはいうまでもない。
【００４９】
一方、図８に示す検索画面２０ｂや図１１に示す検索画面２０ｄのように、フォーカスエリア２２において、「？」の属性未設定アイコン２３が表示されているとともに、キーワードが１文字でも入力されている状態で（図３のステップ１０７）、キーワードをさらに追加するとして（図３のステップ１０８）、キーワード追加ボタン２７をタッチ操作すると（図３のステップ１１７）、属性未設定アイコン２３を属性アイコン２５に切り替えることを指示するダイヤログが表示される（図３のステップ１１８）。
【００５０】
図１４は図１１に示す検索画面２０ｄで「ぎょうざ」というキーワードが入力された状態に対するこのダイヤログの一具体例を示す図であって、５０はダイヤログ、５１はメッセージ、５２は「閉じる」ボタンであり、２５ａ〜２５ｄは先の属性アイコンである。
【００５１】
同図において、この場合の検索画面２０ｄは不活性となり、その上にダイヤログ５０がポップアップする。このダイヤログ５０には、上記の各アイコン２５ａ〜２５ｄが表示され、そのいずれかを選択するようにとのメッセージも表示されている。なお、このダイヤログ５０をキャンセルする「閉じる」ボタン５２も設けられている。
【００５２】
このダイヤログ５０に表示される属性アイコン２５ａ〜２５ｄのいずれか、例えば、属性アイコン２５ｄをタッチ操作して選択すると（図３のステップ１１９）、さらに、次のフォーカスエリア２２が表示された図１５に示す検索画面２０ｈとなり（図３のステップ１２０）、このフォーカスエリア２２では、キーワード追加ボタン２７を選択したことによる「？」マークの属性未設定アイコン２３とカーソル２４とが表示されることになる（図３のステップ１１６）。そして、図３のステップ１０４に戻り、上記の操作、属性アイコンを選択してキーワードを入力する操作（図３のステップ１０５，１０６）、キーワードを入力して属性アイコンの選択操作（図３のステップ１０７，１０８，１０９）、あるいはキーワードを入力してキーワード追加ボタンをタッチ操作し、さらに次のキーワード入力を準備するための操作（図３のステップ１１７〜１２０）を行なうことができる。
【００５３】
図１３に示すように、文字入力エリア２１に住所の属性アイコン２５ｂと入力キーワード「うつのみや」とのセット、食事を表わす属性アイコン２５ｄと入力キーワード「ぎょうざ」とのセットとが表示された検索画面２０ｆでは、属性アイコンとキーワードとのセットが２個表示されており、これらのセットによって検索条件が設定されていることになるが、かかる検索画面２０ｆにおいて、検索ボタン３３をタッチ操作すると（図３のステップ１１１）、「うつのみや」と「ぎょうざ」とをキーワードとする検索条件のもとに検索が行なわれ、その検索結果が、図１６に示すように、検索結果表示画面４０ａに表示されるが、図１５に示すように、文字表示エリア２１に属性未設定アイコン２３を含む場合には、図１４で説明したように、属性未設定アイコン２３を属性アイコン２５のいずれかと入れ換えることを指示するダイアログ５０が表示されて、そのままでは検索は行なわれない。
【００５４】
ところで、上記のように、キーワード追加ボタン２７をタッチ操作することにより、新たな入力キーワードを、属性アイコンとのセットで、順次追加することができるが、１行の文字入力エリア２１に表示する属性アイコン２５と入力キーワードとのセットの表示にも限界があり、表示できなくなることになる（この場合には、キーワードの文字の入力もできないことになる）。しかし、この実施形態では、このような状態となったときには、入力キーワードの表示範囲を縮小し、その分文字入力エリア２１での空きエリアを確保して新たな入力キーワードの表示を可能とするようにしている。
【００５５】
図１７はかかる状態での検索画面２０ｉの一具体例を示すものであって、６０はキーワード入力済みマークであり、前出図面に対応する部分には同一符号を付けている。
【００５６】
同図において、この検索画面２０ｉの文字入力エリア２１には、３個の属性アイコン２５ｂ，２５ｄ，２５ｄが表示されており、既に３個の入力キーワードが登録されていることを示している。しかし、夫々の属性アイコン２５ｂ，２５ｄ，２５ｄの文字列で表わされる入力キーワードは、例えば、右向き三角マークのキーワード入力済みアイコン６０で表わされている。このように、文字列からなる入力キーワード３５がキーワード入力済みアイコン６０で表わされており、これにより、入力キーワードが占めるスペースを大幅に削減して文字入力エリア２１での空きスペースを確保し、より多くのキーワードが入力することができるようにしている。
【００５７】
キーワードの入力に際し、このような既に入力されているキーワードをキーワード入力済みアイコン６０に変換して文字入力エリア２１での空きスペースを確保する動作は、図３におけるステップ１０７で行なわれるものであるが、その具体的な動作を図１８によって説明する。
【００５８】
同図において、例えば、図１５に示す検索画面２０ｈで新たなフォーカスエリア２２にキーワードを入力する場合（図３のステップ１０４）、キーボード２９をタッチ操作することにより、キーワードの入力を行なう（ステップ２００）。この場合、このキーワードの文字毎にその入力ができるか否かを判定し（ステップ２０１，２０２）、引き続き可能であり（ステップ２０３）、次の文字の入力を必要とする場合には（ステップ２０４，２０５）、再びキーボード２９をタッチ操作して次の文字を入力する（ステップ２００）。
【００５９】
このようにして、文字入力エリア２１に空きスペースがあるときには、順次文字を１つずつ入力でき（ステップ２００〜２０５を繰り返す）、このキーワード全体が入力されると（ステップ２０４，２０５）、キーワードの入力操作は終了して（ステップ２０６）、図３のステップ１０８に進む。
【００６０】
キーホード２９をタッチ操作して文字の入力操作を行なったところ、文字入力エリア２１に空きスペースがなくてこの文字の入力ができない場合には（ステップ２０１，２０２）、既に入力が終了している属性アイコンとキーワードとのセットのうちの、最初のセット、図１５に示す検索画面の場合、属性アイコン２５ｂと入力キーワード「うつのみや」３５のセットについて、この入力キーワード「うつのみや」をキーワード入力済みアイコン６０に変換する（ステップ２０７）。これにより、文字入力エリア２１に空きスペースが生ずるため、ステップ２００で入力しようとした文字が入力できるようになり（ステップ２０８，２０９）、ステップ２０３に移り、追加する文字があれば（ステップ２０４，２０５）、ステップ２００からの上記の動作に入る。
【００６１】
このようにして、既に入力が終了している属性アイコンとキーワードとのセットについて、順次入力キーワードをキーワード入力済みアイコン６０に変換することにより（ステップ２０７）、そのたびに空きスペースが生じで文字の入力が可能となるが、既に入力が終了している属性アイコンとキーワードとのセット全てについて、入力キーワードをキーワード入力済みアイコン６０に変換してしまった状態では、もはや文字入力エリアに空きスペースを確保することができなくなる（ステップ２０９の“ＮＯ”）。この場合でも、さらに文字の入力が可能であるが、入力した文字列が左方にスクロールし、前方の文字がアイコンの下に潜り込むように形態で隠されていく。
【００６２】
これを図１９で説明すると、いま、図１９（ａ）に示すように、属性未設定アイコン２３ｃのフォーカスエリア２２ｄにおいて、入力キーワード３５の文字列が「ぎょうれつのできるゆうめいなご」まで入力したとき、空きスペースがなくなったとすると（図１８のステップ２０８，２０９）、次の文字「は」が入力されたときには、図１９（ｂ）に示すように、先頭の文字「ぎ」が属性未設定アイコン２３ｃの下に隠れるようにして、文字列全体が左方にスクロールする（図１８のステップ２１０）。
【００６３】
このように、順次文字を入力することにより（図１８のステップ２１１）、その入力毎に１文字分ずつ文字列が左方にスクロールし、常にそのときの先頭となる文字が属性未設定アイコン２３ｃの下に隠れていく。従って、フォーカスエリア２２ｄの長さを超える文字列に対しても、それを入力することができる。但し、そのうちのフォーカスエリア２２ｄの長さ分の範囲しか表示されない（図１８のステップ２１２）。
【００６４】
かかる１文字分のスクロールは、図１８のステップ２００での文字の入力毎に行なわれる。そして、追加する文字がなく、キーワード全体の文字列が入力されたことになると（図１８のステップ２０４，２０５）、キーワードの入力操作が終了して（図１８のステップ２０６）、図３のステップ１０８に進む。
【００６５】
ところで、図１９に示す検索画面２０ｊのように、フォーカスエリア２２よりも文字列が長いキーワード３５が入力された場合、ユーザとしては、そのキーワードの一部しか画面で見ることができない。そこで、この実施形態では、図２０（ａ）に示すように、このように文字列が長いキーワード３５に対しては、フォーカスエリア２２でのカーソル２４の表示位置に近接して、例えば、「…」マークで表わされるスクロールボタン７０が表示され、キーワード３５の表示されている部分の後ろにもこのキーワード３５の文字列があることを示すようにしている。
【００６６】
そして、このスクロールボタン７０をタッチ操作すると、図２０（ｂ）に示すように、その操作毎に１または２以上の文字数ずつ順次、画面上、左方向にキーワード３５がスクロールし、右側からその文字数ずつ現われる。これにより、これまで表示されていなかった文字列の部分が見ることができるようになる。なお、キーワード３５の表示されている部分のスクロール方向先頭の部分は、図１９で説明したのと同様、そのとき表示されたいる属性アイコン２５または属性未設定アイコン２３の下側に隠れることになる。その後、図２０（ｃ）に示すように、このキーワード３５の文字列の最後の文字がフォーカスエリア２２内に現われると、スクロールボタン７０は消え、カーソル２４だけが表示される状態となる。
【００６７】
このようにして、フォーカスエリア２２よりも長い文字列からなるキーワード３５であっても、簡単な操作でもってその全体を見ることができる。なお、フォーカスエリア２２のスクロールボタン７０以外の部分をタッチ操作することにより、キーワード３５のスクロール方向が上記とは逆方向（即ち、右方向）となる。
【００６８】
また、図２０（ａ）に示すように、複数のキーワードを入力することにより、文字入力エリア２１に属性アイコン２５または属性未設定アイコン２３と入力キーワード３５とのセットが複数表示された検索条件となり、属性アイコン２５と入力キーワード３５とのセットとのいくつかは、属性アイコン２５とキーワード入力済みアイコン６０とのセットで表わされるものもあるが、かかるセットについて入力キーワード３５を直接確認したい場合には、このキーワード入力済みアイコン６０をタッチ操作することにより、図２１に示すように、このセットでフォーカスエリア２２ａが設けられ、これに入力キーワード３５が表示される。なお、このフォーカスエリア２２ａが設けられると、その長さ分既に表示されているフォーカスエリア２２が縮小される。また、このフォーカスエリア２２ａをタッチ操作すると、図２０（ａ）に示す元の属性アイコン２５ｂとキーワード入力済みアイコン６０とのセットからなる表示状態に戻る。このフォーカスエリア２２ａ内の属性アイコン２５やキーワード３５は、上記のようにして、修正することができる。
【００６９】
なお、図２１に示す表示状態において、既に表示されているフォーカスエリア２２でのスクロールボタン７０をタッチ操作しても、属性アイコン２５ｂと入力キーワード３５とのセットが図２０（ａ）に示す元の属性アイコン２５ｂとキーワード入力済みアイコン６０とのセットからなる表示状態に戻る。従って、既に表示されているフォーカスエリア２２も、図２０（ａ）に示すもとの表示状態に戻る。
【００７０】
このようにして、属性アイコン２５とキーワード入力済みアイコン６０とのセットでも、簡単な操作でもって、その入力キーワード３５を直接確認することができるし、もとの属性アイコン２５とキーワード入力済みアイコン６０とのセットの状態に戻すことができる。
【００７１】
また、図２２（ａ）に示すように、所定の入力キーワードに対する属性アイコン２５ｃを所定時間以上タッチ操作して選択すると、有効／無効選択画面８０がポップアップされる。この有効／無効選択画面８０には、有効ボタン８１と無効ボタン８２とが設けられており、無効ボタン８２をタッチ操作すると、選択された属性アイコン２５ｃの入力キーワード３５が無効となり、検索に使用されなくなる。このように無効とされたキーワードに対する属性アイコンには、図２２（ｂ）に示すように、「×」印の無効マーク８３が付加されて表示される。
【００７２】
なお、キーワードが無効された属性アイコン２５に対し、図２２（ａ）に示すように、有効／無効選択画面８０をポップアップし、その有効ボタン８１をタッチ操作すると、この属性アイコン２５から「×」印の無効マーク８３が除かれ、無効であったキーワードは有効となる。
【００７３】
ところで、図１７に示すように、既に３個のキーワードが入力され、４個目のキーワードが入力されている状況では、全ての検索条件に合致する予測キーワードが少なくなっている場合がある。例えば、図１７に示す例では、「オオドオリ」，「センモンテ」，「チュウオウ」，「○○×テン」，「××○テン」の５個の予測キーワードが予測キーワード表示エリア３２に表示されているが、最初の２個、即ち、「オオドオリ」，「センモンテ」だけが既入力の全ての検索条件に合致する予測キーワードであり、残りの３個は、検索条件には合致しないが、現在入力中のキーワード「えきまえ」から予測されるキーワードとなる場合がある。この実施形態では、予測キーワード表示エリア３２を有効に利用できるようにするために、全ての検索条件に合致する予測キーワードが予測キーワード表示エリア３２での表示可能数（ここでは、５個としている）未満となった場合には、これによって予測キーワード表示エリア３２に生ずる余りのエリアに、現在入力中、または、最後に入力したキーワードから予測されたキーワードを表示する。このとき、全ての検索条件に合致する予測キーワードとそれ以外の予測キーワードとを、表示色を異ならせるなどして、区別できるようにしてもよい。ここで、全ての検索条件に合致しない予測キーワードを選択すると、該当件数が０となる。この場合には、図２２で説明した入力キーワードの有効／無効の切り替えを利用して、他の入力キーワードのいくつかを無効に切り替えたりすることにより、検索条件を変更し、最後に入力したキーワードを生かした検索を行なうことが可能となる。
【００７４】
このようにして、簡単な操作でもって、入力したキーワードを無効にしたり、無効とされたキーワードを有効としたりすることができる。
【００７５】
以上のようにして、検索条件として、情報検索のためのキーワードを１または複数個１行の文字入力エリアに表示することができるので、かかるキーワードの入力や削除のための操作部も同時に表示させることができ、画面だけを見ながら各種操作ができて操作性が向上する。
【００７６】
また、キーワードは、その属性を示すアイコンとともに表示されるので、属性アイコンによって各キーワード間が区切られるし、入力したキーワードがどのような種類のものであるかを確認することが容易となり、検索に必要なキーワードを間違いなく、確実に入力することができる。
【００７７】
ところで、以上の実施形態は、カーナビを例とし、操作部も画面表示し、タッチ操作で操作できるようにしたものであるが、リモコンで操作するようにしてもよい。この場合には、リモコン側に各種の操作部を設けるものであるから、必ずしも画面に操作部を設けることは必要ない。
【００７８】
また、テレビや他のクライアント端末であっても同様であり、画面操作あるいはキーボード，ポインティングデバイスやリモコンなどの操作によって検索操作を行なうことができる。
【００７９】
図２３は図２におけるクライアント端末５がＰＣ５ａである場合の本発明による検索条件の表示方法の第１の実施形態を示す図であって、９０はプルダウンメニュー画面であり、前出図面に対応する部分には同一符号を付けて重複する説明を省略する。
【００８０】
同図において、ＰＣ５ａでは、所定の操作によってキーワード検索が選択されると、その表示画面に検索画面２０が表示される。この検索画面２０では、プルダウンメニュー画面９０と１行の文字入力エリア２１と検索ボタン３３とが横１列に配置されて表示されている。かかる検索画面２０に対する操作は、図示しないキーボードやポインティングデバイスによって行なわれる。
【００８１】
プルダウンメニュー画面９０は属性アイコンを選択するためのものであって、これをクリックすると、先の実施形態と同様の属性アイコン２５ａ〜２５ｄが一覧で示されるメニュー画面がプルダウンされる。そして、その中から所望とする属性アイコンをクリックして選択することにより、文字入力エリア２１内に選択された属性アイコン２５ａ，２５ｂなどが表示される。なお、属性未設定アイコン２３についても、先の実施形態と同様である。
【００８２】
文字入力エリア２１内でのキーワード３５は、図示しないキーボードの操作によって入力される。また、キーボードなどの操作により、先のカーナビの場合と同様の操作が行なわれる。また、検索ボタン３３をクリック操作することにより、文字入力エリア２１で表示されるキーワードを検索条件として、検索が行なわれ、その検索結果が、例えば、表示画面の文字入力エリア２１が表示されているエリア以外のエリアに表示される。
【００８３】
なお、属性アイコンに関して、プルダウンメニュー画面９０の代わりに、図２４に示すように、直接属性アイコン２５ａ〜２５ｄを表示し、これらのうちから必要な属性アイコンをクリックして選択できるようにしてもよい。
【００８４】
また、図２５に示すように、表示画面の所定の位置で、プルダウンメニュー画面９０と１行の文字入力エリア２１と検索ボタン３３とが横１列に配置されたフローティングウィンドウ９１を表示するようにしてもよい。
【００８５】
さらに、図２６に示すように、ダイヤログボックス９２にプルダウンメニュー画面９０と１行の文字入力エリア２１と検索ボタン３３とが横１列に配置して表示するようにしてもよいし、図２７に示すように、プルダウンメニュー画面９０と１行の文字入力エリア２１と検索ボタン３３とが横１列に配置されたタブ９３ａ付きのウィンドウ９３を設け、このウィンドウ９３を選択することにより、キーワード検索ができるようにしてもよい。
【００８６】
図２８は図２におけるクライアント端末５が携帯電話５ｃである場合の本発明による検索条件の表示方法のさらに他の実施形態を示す図であって、９４は表示画面、９５は操作部であり、前出図面に対応する部分には同一符号を付けて重複する説明を省略する。
【００８７】
同図において、携帯電話５ｃの各種キーなどが設けられた操作部９５の所定の操作により、その表示画面９４に検索画面２０が表示される。この検索画面２０では、属性アイコン２５ｂなどのアイコンと入力キーワードがセットで表示される１行の文字入力エリア２１と、１列に配列された各種属性アイコン２５と、検索ボタン３３とが表示される。かかる検索画面２０での検索のための操作も、操作部９５の操作により、先の実施形態と同様の手順で行なわれる。
【００８８】
図２９はテレビの場合の本発明による検索条件の表示方法の一実施形態を示す図であって、９６はテレビ、９６ａは表示画面、９７はリモコンであり、前出図面に対応する部分には同一符号を付けて重複する説明を省略する。
【００８９】
同図において、各種の操作ボタンなどが設けられたリモコン９７を所定操作すると、テレビ９６の表示画面９６ａでの所定の場所に検索画面２０が表示される。この検索画面２０では、属性アイコンを選択するためのプルダウンメニュー画面９０と、属性アイコン２５ｂなどのアイコンと入力キーワードがセットで表示される１行の文字入力エリア２１と、検索ボタン３３とが表示される。かかる検索画面２０での検索のための操作も、リモコン９７の操作により、先の実施形態と同様の手順で行なわれる。
【００９０】
なお、以上の各実施形態では、属性アイコン２５として、４個の属性アイコン２５ａ〜２５ｄを用いたが、これに限らず、属性アイコンは任意のものを用いることができる。
【図面の簡単な説明】
【００９１】
【図１】本発明による検索条件の表示方法を用いる検索システムの一具体例を概略的に示すシステム構成図である。
【図２】本発明による検索条件の表示方法を用いる検索システムの他の具体例を概略的に示すシステム構成図である。
【図３】本発明による検索条件の表示方法の一実施形態の操作手順の一具体例を示すフローチャートである。
【図４】図３におけるステップ１００で表示されるメニュー画面の一具体例を示す図である。
【図５】図３におけるステップ１０１で表示される行き先設定画面の一具体例を示す図である。
【図６】図３におけるステップ１０３で表示される初期検索画面の一具体例を示す図である。
【図７】図３におけるステップ１０６で表示される検索画面の一具体例を示す図である。
【図８】図３におけるステップ１０７で表示される検索画面の一具体例を示す図である。
【図９】図３におけるステップ１１４で表示される検索結果表示画面の一具体例を示す図である。
【図１０】図３におけるステップ１１６で表示される検索画面の一具体例を示す図である。
【図１１】図３におけるステップ１０７で表示される検索画面の他の具体例を示す図である。
【図１２】図３におけるステップ１０９で表示される検索画面の一具体例を示す図である。
【図１３】図３におけるステップ１０６で表示される検索画面の他の具体例を示す図である。
【図１４】図３におけるステップ１１８で表示される検索画面の一具体例を示す図である。
【図１５】図３におけるステップ１１６で表示される検索画面の他の具体例を示す図である。
【図１６】図３におけるステップ１１４で表示される検索結果表示画面の他の具体例を示す図である。
【図１７】入力キーワードをキーワード入力済みマークで表わした検索画面の一具体例を示す図てある。
【図１８】図３におけるステップ１０７の一具体例を示すフローチャートである。
【図１９】図１８におけるステップ２１０での検索画面の表示変化を示す図である。
【図２０】図１９（ａ）に示す検索画面での長い文字列からなる入力キーワードの表示方法の一具体例を示す図である。
【図２１】図１９（ａ）に示す検索画面でのキーワード入力済みマークを入力キーワードに変換する場合の操作を示す図である。
【図２２】入力されたキーワードを無効にし、また、無効としたキーワードを有効にするための検索画面での操作を示す図である。
【図２３】パソコンに対する本発明による検索条件の表示方法の一実施形態を示す図である。
【図２４】パソコンに対する本発明による検索条件の表示方法の他の実施形態を示す図である。
【図２５】パソコンに対する本発明による検索条件の表示方法のさらに他の実施形態を示す図である。
【図２６】パソコンに対する本発明による検索条件の表示方法のさらに他の実施形態を示す図である。
【図２７】パソコンに対する本発明による検索条件の表示方法のさらに他の実施形態を示す図である。
【図２８】携帯電話に対する本発明による検索条件の表示方法のさらに他の実施形態を示す図である。
【図２９】テレビに対する本発明による検索条件の表示方法のさらに他の実施形態を示す図である。
【符号の説明】
【００９２】
１  表示装置
２  データベース
３  演算処理装置
４  操作部
５  クライアント端末
５ａ  ＰＣ
５ｂ  ＰＤＡ
５ｃ  携帯電話
６  検索サイト
６ａ  サーバ
６ｂ  データベース
７  ネットワーク
２０，２０ａ〜２０ｌ  検索画面
２１  文字入力エリア
２２，２２ａ  フォーカスエリア
２２’  枠
２３  属性未設定アイコン
２４  カーソル
２５ａ〜２５ｄ  属性アイコン
２６  検索件数表示エリア
２７  キーワード追加ボタン
２８  スクロールボタン
２９  キーボード
３０  削除ボタン
３１  文字種選択ボタン
３２  予測キーワード表示エリア
３３  検索ボタン
３４  戻るボタン
３５  入力キーワード
４０  検索結果表示画面
４１，４１’  検索情報
４２ａ，４２ｂ  スクロールボタン
４３  終了ボタン
４４  ソートボタン
４５  絞込みボタン
４６  再検索ボタン
５０  ダイヤログ
５１  メッセージ
５２  「閉じる」ボタン
６０  キーワード入力済みアイコン
７０  スクロールボタン
８０  有効／無効選択画面
８１  有効ボタン
８２  無効ボタン
８３  無効マーク
９０  プルダウンメニュー画面
９１  フローティングウィンドウ
９２  ダイヤログボックス
９３ａ  タブ
９３  ウィンドウ
９４  表示画面
９５  操作部
９６  テレビ
９６ａ  表示画面
９７  リモコン
【図１】
0004820595.tif 000002
【図２】
0004820595.tif 000003
【図３】
0004820595.tif 000004
【図４】
0004820595.tif 000005
【図５】
0004820595.tif 000006
【図６】
0004820595.tif 000007
【図７】
0004820595.tif 000008
【図８】
0004820595.tif 000009
【図９】
0004820595.tif 000010
【図１０】
0004820595.tif 000011
【図１１】
0004820595.tif 000012
【図１２】
0004820595.tif 000013
【図１３】
0004820595.tif 000014
【図１４】
0004820595.tif 000015
【図１５】
0004820595.tif 000016
【図１６】
0004820595.tif 000017
【図１７】
0004820595.tif 000018
【図１８】
0004820595.tif 000019
【図１９】
0004820595.tif 000020
【図２０】
0004820595.tif 000021
【図２１】
0004820595.tif 000022
【図２２】
0004820595.tif 000023
【図２３】
0004820595.tif 000024
【図２４】
0004820595.tif 000025
【図２５】
0004820595.tif 000026
【図２６】
0004820595.tif 000027
【図２７】
0004820595.tif 000028
【図２８】
0004820595.tif 000029
【図２９】
0004820595.tif 000030